(57)【要約】【課題】緊急発信を行った移動通信端末の位置情報を、他の端末ユーザが緊急対応のためにより有効に利用できるようにする。【解決手段】サーバ装置ＳＶは、緊急発信を行った移動通信端末の位置情報を取得し、救援端末検索プログラム１１１により上記緊急発信端末の近くの端末ユーザを検索する。そして、上記位置情報をもとに、救援要請情報作成プログラム１１２により救援要請情報を作成する。そして、この救援要請情報を上記検索した端末に通知する。また、この通知した端末から応答が返信された場合に、上記検索した端末の位置情報を取得し、この位置情報をもとに救援応答情報作成プログラム１１４により救援応答情報を作成する。そして、この救援応答情報を上記緊急発信端末に通知する。【選択図】　　図２
2004015336.tif 000002
【特許請求の範囲】
【請求項１】
第１の移動通信端末から緊急発信が行われた場合に、前記第１の移動通信端末の位置情報を取得して緊急発信先に通知する機能を備えた移動通信ネットワークに接続可能なサーバ装置において、
前記緊急発信を行った第１の移動通信端末の近くに存在する第２の移動通信端末を検索する検索手段と、
前記緊急発信を行った第１の移動通信端末が近くに存在する旨のメッセージと、当該第１の移動通信端末の位置情報とを含む救援要請情報を作成する救援要請情報作成手段と、
前記作成された救援要請情報を、前記検索された第２の移動通信端末に前記移動通信ネットワークを介して通知する第１の通知手段とを具備したことを特徴とする緊急情報通知機能を備えたサーバ装置。
【請求項２】
前記第１の通知手段は、前記第１の移動通信端末の近くに存在する第２の移動通信端末が複数ある場合に、この複数の第２の移動通信端末の中から前記第１の移動通信端末に最も近い端末を選択し、この選択された移動通信端末に救援要請情報を通知することを特徴とする請求項１記載の緊急情報通知機能を備えたサーバ装置。
【請求項３】
前記検索手段は、
前記救援要請情報の通知に事前に合意した移動通信端末のリストを記憶する端末データベースと、
この端末データベースに記憶され、かつ前記第１の移動通信端末の近くに存在する移動通信端末の中から、救援要請情報通知先の第２の移動通信端末を選択する手段とを備えることを特徴とする請求項１記載の緊急情報通知機能を備えたサーバ装置。
【請求項４】
前記第１の移動通信端末の近くに存在する移動通信端末を救援要請情報の通知先の候補として選択する手段と、
前記候補として選択された移動通信端末に対し救援の可否を確認するための確認情報を送信する手段と、
前記確認情報に対し救援に応諾した移動通信端末を救援要請先の第２の移動通信端末として選択する手段とを備えたことを特徴とする請求項１記載の緊急情報通知機能を備えたサーバ装置。
【請求項５】
位置情報に対応付けてその住所を表す情報を記憶した住所データベースをさらに具備し、
前記救援要請情報作成手段は、前記住所データベースから第１の端末の存在位置に対応する住所を表す情報を読み出し、この読み出した住所を表す情報を救援要請情報に含めることを特徴とする請求項１記載の緊急情報通知機能を備えたサーバ装置。
【請求項６】
地図データを記憶する地図データベースをさらに具備し、
前記救援要請情報作成手段は、前記地図データベースから読み出された地図データに、前記移動通信ネットワークから取得した第１の移動通信端末の位置情報を表示した第１の地図情報を作成し、この作成された第１の地図情報を前記救援要請情報に含める機能をさらに備えたことを特徴とする請求項１記載の緊急情報通知機能を備えたサーバ装置。
【請求項７】
前記救援要請情報の送信後に、当該救援要請に対する第２の移動通信端末からの応答を監視する応答監視手段と、
救援要請に対し応答があった旨のメッセージを含む救援応答情報を作成する救援応答情報作成手段と、
前記応答監視手段により第２の移動通信端末からの応答を検出した場合に、前記作成された救援応答情報を前記緊急発信を行った第１の移動通信端末に移動通信ネットワークを介して通知する第２の通知手段とをさらに備えたことを特徴とする請求項１記載の緊急情報通知機能を備えたサーバ装置。
【請求項８】
地図データを記憶する地図データベースをさらに具備し、
前記救援応答情報作成手段は、前記地図データベースから読み出された地図データに前記第２の移動通信端末の位置情報を表示した第２の地図情報を作成し、この作成した第２の地図情報を前記救援応答情報に含める機能をさらに具備したことを特徴とする請求項７記載の緊急情報通知機能を備えたサーバ装置。
【発明の詳細な説明】
【０００１】
【発明の属する技術分野】
この発明は、移動通信端末が緊急発信を行った場合に、この移動通信端末の位置情報を緊急発信先に通知する移動通信システムに接続された緊急情報通知機能を備えたサーバ装置に関する。
【０００２】
【従来の技術】
近年、移動通信端末にＧＰＳ（Ｇｌｏｂａｌ　Ｐｏｓｉｔｉｏｎｉｎｇ　Ｓｙｓｔｅｍ）機能を持たせ、移動通信端末から緊急発信が行われた場合に、当該緊急発信元の端末の位置情報を取得して救援機関や医療機関等の緊急管理センタに通知する移動通信システムが提唱されている。
【０００３】
このような移動通信システムでは、救援機関や医療機関において、緊急発信を行った端末ユーザの位置を瞬時に確認できるため、救助に際し迅速な対応が可能となり、運用が期待されている。
【０００４】
【発明が解決しようとする課題】
ところがこの種のシステムでは、緊急発信が発生した場合に、その救援作業は緊急管理センタ側のみ行われる。このため、例えば緊急発信元の端末ユーザの位置が緊急管理センタから遠く離れている場合や、緊急管理センタの人員が不足している場合には、救助員が緊急発信元の端末ユーザに到着するまで多くの時間がかかってしまい、その間端末ユーザに大きな不安を与えるとともに、最悪の場合手遅れになることが想定される。
【０００５】
この発明は上記事情に着目してなされたもので、その目的とするところは、緊急発信を行った移動通信端末の位置情報をより有効に利用できるようにし、これにより緊急発信者に対しさらに効果的な救援を行えるようにする緊急情報通知機能を備えたサーバ装置を提供することにある。
【０００６】
【課題を解決するための手段】
上記目的を達成するために第１の発明は、第１の移動通信端末から緊急発信が行われた場合に、上記第１の移動通信端末の位置情報を緊急発信先に通知する機能を備えた移動通信ネットワークに接続可能なサーバ装置において、上記緊急発信を行った第１の移動通信端末の位置情報を取得して、上記第１の端末の近くに存在する第２の移動通信端末を検索する。そして、この検索された第２の移動通信端末に対し、緊急発信を行った端末が近くに存在する旨のメッセージとその位置情報とを含む救援要請情報を通知するようにしている。
【０００７】
したがって第１の発明によれば、緊急発信元の近くに存在する端末ユーザに対し救援を要請することが可能となり、緊急管理センタからの救助員の到着を待たずに迅速かつ適切な対応が可能となる。
【０００８】
また、その際緊急発信元の近くに存在する端末ユーザが複数検索される場合には、この検索された複数の端末ユーザの中から最も近い端末ユーザを選択する。このように構成することで、救援をさらに迅速に行うことが可能となる。
【０００９】
さらに、救援要請先の第２の移動通信端末を選択する際に、救援要請情報の通知に合意した移動通信端末のリストを救援端末データベースに予め登録しておき、この登録された端末の中から最寄りの端末を選択するように構成する。このような構成にすると、子供等の端末ユーザには救援要請情報を通知しないようにできるので、より一層効果的な救援要請が可能となる。
【００１０】
また、救援要請先の第２の移動通信端末を決定する際に、先ず救援要請先の候補となる端末に対し救援の可否を確認する情報を送り、これに対し救援に応諾した端末の中から救援要請先の端末を決定するようにしてもよい。このように構成すると、その時々で救援が可能な端末を確実に選択することができる。
【００１１】
第２の発明は、上記第１の発明に加え、上記救援要請情報の通知に対する上記第２の移動通信端末の応答を監視し、そして上記第２の移動通信端末の応答を検出した場合に、その旨のメッセージを含む救援応答情報を上記緊急発信を行った第１の移動通信端末に通知するようにしている。
【００１２】
したがって第２の発明によれば、緊急発信元の第１の移動通信端末ユーザは、自分が緊急事態である旨を緊急管理センタに加えて自分の近くにいる他の端末ユーザが認識したことを確認できる。このため、緊急発信元の端末ユーザは、さらに安心して救助を待つことができる。
【００１３】
さらに上記第１の通知手段において、住所情報を記憶した住所データベース又は地図データを記憶した地図データベースを用意し、これらのデータベースをもとに、上記取得した第１の移動通信端末の位置情報に対応する住所情報又は取得した位置情報を地図データ上に表示した情報を作成する。そして、この作成した情報を上記救援要請情報に含める。このような構成にすると、救援を要請された端末ユーザは、緊急発信元の端末ユーザの位置をいち早く確認できるため、迅速に対応することが可能となる。
【００１４】
また第２の通知手段において、上記第２の端末の位置情報を取得して上記地図データに表示した第２の地図情報を作成する。そして、上記救援応答情報に上記第２の地図情報を含める。このような構成にすると、上記第２の地図情報を含んだ救援応答情報を受信した上記第１の端末ユーザは、救援者の位置を確認できるため上記救援者の早期発見が可能となる。
【００１５】
【発明の実施の形態】
（第１の実施形態）
図１は、この発明に係わる移動通信システムの第１の実施形態を示す概略構成図である。このシステムは、移動通信網ＭＮＷを中核とするもので、この移動通信網ＭＮＷには複数の基地局ＢＳ１〜ＢＳｎが接続されている。これらの基地局ＢＳ１〜ＢＳｎは各々セルと呼ばれる無線通信エリアを形成する。移動通信端末ＭＳ１〜ＭＳｍは、上記無線通信エリア内において基地局ＢＳ１〜ＢＳｎのいずれかに無線チャネルを介して接続される。
【００１６】
この移動通信端末ＭＳ１〜ＭＳｍは、ＧＰＳ受信機を備えている。このＧＰＳ受信機は、複数のＧＰＳ衛星から送信されたＧＰＳ信号をそれぞれ受信する。そして移動通信端末ＭＳ１〜ＭＳｍは、この受信された各ＧＰＳ信号をもとに、自端末の位置情報を算出する。
【００１７】
また、上記移動通信網ＭＮＷには、有線通信網ＬＮＷを介して緊急管理センタＥＣＣと、緊急情報通知機能を有したサーバ装置ＳＶとが接続される。なお、上記有線通信網ＬＮＷには、ＰＳＴＮ（Ｐｕｂｌｉｃ　Ｓｗｉｔｃｈｅｄ　Ｔｅｌｅｐｈｏｎｅ　Ｎｅｔｗｏｒｋ）やＩＳＤＮ（Ｉｎｔｅｇｒａｔｅｄ　Ｓｅｒｖｉｃｅｓ　Ｄｉｇｉｔａｌ　Ｎｅｔｗｏｒｋ）等の公衆回線網に加え、インターネット等のコンピュータネットワークや通信事業者の専用線やＬＡＮ（Ｌｏｃａｌ　Ａｒｅａ　Ｎｅｔｗｏｒｋ）等も含まれる。
【００１８】
上記緊急管理センタＥＣＣは、ユーザが緊急発信（例えば米国におけるダイヤル番号“９１１”による発信）を行った場合の着信先であり、ユーザから緊急発信が到来した場合に、移動通信網ＭＮＷから通知される緊急発信元の移動通信端末の位置情報を使用して、救助の人員手配等の管理をする。
【００１９】
上記サーバ装置ＳＶは、移動通信端末ユーザが緊急発信を行った場合に、移動通信網ＭＮＷからこの緊急発信元の端末ユーザの位置情報を取得して、緊急管理センタＥＣＣとは独立して上記緊急発信を行ったユーザを救援するための制御を実行する。
【００２０】
図２は、上記サーバ装置ＳＶの構成の一例を示す機能ブロック図である。サーバ装置ＳＶはＣＰＵ１０１を備える。このＣＰＵ１０１には、バス１０２を介して、通信インタフェース１０３と、救援端末データベース１０４と、地図データベース１０５と、入出力インタフェース１０６と、ＣＰＵ１０１に救援対応処理を実行させるプログラムを記憶したプログラムメモリ１１０とがそれぞれ接続されている。
【００２１】
通信インタフェース１０３は、ＣＰＵ１０１の指示に従い有線通信網ＬＮＷとの間でデータ通信を行う。通信プロトコルとしては例えばＴＣＰ／ＩＰが用いられる。
【００２２】
救援端末データベース１０４には、後述する救援要請情報の通知に同意した移動通信端末のリストが格納されている。この端末リストは、例えば移動通信端末の契約時に、緊急事態が発生したユーザを救援する意思があるかを確認し、救援する意思がある端末ユーザを登録したものである。
【００２３】
地図データベース１０５には、移動通信システムのサービス対象エリアに関する電子地図データが格納してある。入出力インタフェース１０６はコンソール端末ＣＴに接続され、このコンソール端末ＣＴとの間で管理データやプログラムの入出力処理を行う。
【００２４】
プログラムメモリ１１０には、この発明に係わる制御プログラムとして、救援端末検索プログラム１１１と、救援要請情報作成プログラム１１２と、救援応答監視プログラム１１３と、救援応答情報作成プログラム１１４と、救援情報通知制御プログラム１１５とがそれぞれ格納されている。
【００２５】
救援端末検索プログラム１１１は、緊急発信を行った端末ユーザの近くに存在する他の端末を検索するとともに、上記救援端末データベース１０４を検索し、これらの検索結果に基づいて緊急発信元の端末ユーザの近くに存在し、かつ上記救援端末データベース１０４に記憶された端末の中から、緊急発信元の端末に最も近い端末を選択する。
【００２６】
救援要請情報作成プログラム１１２は、緊急発信を行った端末ユーザの救援を他の端末に要請する情報を作成する。この救援要請情報には、救援を要請している端末ユーザが近くに存在する旨のメッセージと、緊急発信元のユーザの位置を表す地図情報とが含められる。この地図情報は、緊急発信した端末ユーザの位置情報をもとに上記地図データベースから当該ユーザが存在する位置を範囲内に含む地図データを読み出し、この読み出した地図データ上に上記緊急発信元の端末の位置情報を表示することにより作成する。
【００２７】
救援応答監視プログラム１１３は、上記救援要請情報を送信した先の端末からの応答を監視する。
【００２８】
救援応答情報作成プログラム１１４は、上記救援応答監視プログラム１１３により救援要請先の端末からの応答が確認された場合に、その旨を緊急発信元の端末に通知するための情報を作成する。この救援応答情報には、救援要請に対し応答した端末ユーザが近くに存在する旨のメッセージと、救援地図情報とが含められる。この救援地図情報は、救援要請に応答した端末の位置を範囲に含む地図データを上記地図データベースから読み出し、この読み出した地図データ上に上記救援要請に応答した端末の位置を表示することにより作成する。
【００２９】
救援情報通知制御プログラム１１５は、上記救援要請情報および救援応答情報の通知動作を制御する。例えば、先ず上記救援端末検索プログラム１１１により検索された端末のうち、上記緊急発信端末に最も近い端末に、上記救援要請情報をする。そして、所定の時間（例えば３０秒）を経過しても上記救援応答監視プログラム１１３により応答が確認されなければ、２番目に近い端末に上記救援要請情報を通知する。次に応答が確認された場合には、緊急発信元の端末に上記救援応答情報を通知する。
【００３０】
以上のように構成された移動通信システムの上記サーバ装置ＳＶの動作を説明する。図３はその動作説明に使用するシーケンス図である。
【００３１】
いま例えば、移動通信端末ＭＳ１においてユーザが緊急発信操作を行ったとする。そうすると、移動通信端末ＭＳ１から、最寄りの基地局ＢＳ２を介して移動通信網ＭＮＷに対し発信信号が送出され、この発信信号を受けて移動通信網ＭＮＷから着信先の緊急管理センタＥＣＣに対し緊急着信信号が送信される。緊急管理センタＥＣＣでは、上記緊急着信信号が到来すると、オペレータに対し呼び出し報知が行われるとともに、緊急発信元の端末の位置情報が表示される。そして、この呼び出し報知に対しオペレータが応答すると、端末ＭＳ１と緊急管理センタＥＣＣとの間に通信リンクが形成され、以後端末ユーザはオペレータとの間で通話が可能となる。
【００３２】
一方、サーバ装置ＳＶは、移動通信網ＭＮＷからの緊急発信の通知の有無を監視している。そして、緊急発信が行われたことを検出すると、移動通信網ＭＮＷに対して端末ＭＳ１の位置情報要求を送信する。移動通信網ＭＮＷは、上記位置情報要求を受信すると、サーバ装置ＳＶに対して端末ＭＳ１の位置情報を送信する。
【００３３】
サーバ装置ＳＶは、端末ＭＳ１の位置情報を取得すると、ステップ３ａで上記救援要請情報作成プログラム１１２を実行することにより、救援要請情報を作成する。この救援要請情報には、救援を要請している端末ユーザが近くに存在する旨のメッセージと、緊急発信した端末の位置情報を上記地図データベース１０５から読み出された地図データ上に表示した地図情報とが挿入される。またサーバ装置ＳＶは、ステップ３ｂで救援要請先としての条件を満足する移動通信端末を検索する。この検索は、例えばセル単位で実行する。緊急発信を行った移動通信端末ＭＳ１が属するセルと同じセルに位置登録をしている端末が１台の場合は、この端末を救援要請先とする。また、上記セルに複数の端末が位置登録している場合には、それぞれの端末にＧＰＳ機能より算出した自端末の位置情報を移動通信網ＭＮＷに報告させる。そして、サーバ装置ＳＶはこの結果を移動通信網から取得し、端末ＭＳ１に最も近い順に検索された端末のリストを作成する。
【００３４】
そうして救援要請先としての条件を満足する端末が検索されると、ステップ３ｃで先ず緊急発信元の端末ＭＳ１に最も近い端末ＭＳ２を選択して、この端末ＭＳ２に上記作成した救援要請情報を、例えばＥメールにより通知する。
【００３５】
さて、この救援要請情報を受信した端末ＭＳ２においてユーザが確認操作を行ったとする。そうすると、その旨の情報がＥメールにより端末ＭＳ２からサーバ装置ＳＶに送られる。サーバ装置ＳＶは、この端末ＭＳ２からの応答を検出し、移動通信網ＭＮＷに対し端末ＭＳ２の位置情報要求を送信する。移動通信網ＭＮＷは、上記位置情報要求を受信すると、端末ＭＳ２との間で当該端末ＭＳ２の位置を検出するシーケンスを実行し、このシーケンスにより得られた位置情報をサーバ装置ＳＶに対して転送する。
【００３６】
なお、上記検索された端末ＭＳ２からの応答が上記所定の時間経過後においても検出できない場合には、上記救援要請先としての条件を緊急発信元の端末ＭＳ２に対し２番目に近い端末を選択して、この端末に上記救援要請情報を通知する。以後同様に、上記救援要請情報に対する応答が検出されるまで救援要請先の端末が緊急発信元の端末ＭＳ１に近いものから順に選択され、救援要請情報が送信される。
【００３７】
次にサーバ装置ＳＶは、上記移動通信網ＭＮＷから取得した端末ＭＳ２の位置情報をもとに、ステップ３ｄで上記救援応答情報作成プログラム１１４を実行することにより、救援応答情報を作成する。この救援応答情報には、救援要請に対し応答した端末ユーザが近くに存在する旨のメッセージと、端末ＭＳ２の位置情報を上記地図データベース１０５から読み出された地図データ上に表示した地図情報とが挿入される。そして、ステップ３ｅで端末ＭＳ１に上記作成した救援応答情報を通知する。
【００３８】
したがって第１の実施形態によれば、緊急発信を行った移動通信端末ＭＳ１の近くに存在する端末ユーザに対し、端末ＭＳ１が緊急事態である旨のメッセージと端末ＭＳ１の地図情報とが通知される。このため、救援端末ユーザは端末ＭＳ１を容易に発見でき、且つ迅速に救助に対応できる。また端末ＭＳ１のユーザには、近くのユーザに救援を要請した旨のメッセージと地図情報とが通知される。このため、端末ＭＳ１のユーザは安心して救援を待つことができ、且つ救援者がどの位の距離にいるかを知ることができる。また、端末ＭＳ１の近くに存在する端末を検索する際、上記救援端末データベース１０４の中から検索するようにしたので、救援要請に対して応答がある割合を高くすることができる。さらに、端末ＭＳ１の近くに存在する端末が複数存在する場合には、端末ＭＳ１に最も近い端末から順番に上記救援要請情報を通知するので、端末ＭＳ１からより近い救援者を検索することができる。
【００３９】
（第２の実施形態）
この発明の第２の実施形態は、サーバ装置ＳＶにおいて、緊急発信を行った端末ユーザの位置情報を取得し、この位置情報から上記緊急発信端末の近くに存在する端末ユーザを検索する。そして、この検索された端末ユーザに対し、緊急発信元の端末ユーザを救援する意思の可否を確認するための救援確認情報を送信する。そして、救援する意思がある旨の応答を確認できた場合に、この端末ユーザに救援要請情報を通知するようにしたものである。
【００４０】
図４は、この発明の第２の実施形態に係わるサーバ装置ＳＶの構成の一例を示す機能ブロック図である。なお、同図において前記図２と同一部分には同一符号を付して詳しい説明は省略する。
【００４１】
このサーバ装置ＳＶのプログラムメモリ１２０には、救援端末検索プログラム１１１と、救援確認情報作成プログラム１２１と、救援応答監視プログラム１２２と、救援要請情報作成プログラム１１４と、救援情報通知制御プログラム１２３とがそれぞれ格納されている。
【００４２】
救援確認情報作成プログラム１２１は、緊急発信元の端末の近くに存在する他の端末に対し、救援の可否を問い合わせるための救援確認情報を作成する。この救援確認情報には、緊急発信元の端末ユーザの位置情報と、このユーザを救援する可否を確認するメッセージが挿入される。この救援確認情報は、例えば救援確認情報中にサーバ装置ＳＶのＵＲＬを設け、端末ユーザがこのＵＲＬをクリックすることにより、救援の可否を簡単に返信できるような構成になっている。
救援応答監視プログラム１２２は、上記救援確認情報に対する端末ユーザからの応答を監視し、且つこの応答の内容が救援可能か否かについても判断する。
【００４３】
救援情報通知制御プログラム１２３は、上記救援確認情報および救援要請情報の通知動作を制御するもので、救援端末検索プログラム１１１により検索された端末を緊急発信元の端末に近い端末から順に選択して、この選択した端末へ救援確認情報を通知する。この救援確認情報の通知は、上記救援応答監視プログラム１２２により応答が確認されるまで、所定の周期（例えば３０秒）で繰り返す。そして、上記救援確認情報に対し任意の端末から応答が到来した場合に、当該応答端末に対して救援要請情報を通知する。
【００４４】
次に、以上のように構成されたサーバ装置ＳＶの動作を説明する。図５はサーバ装置の動作説明に使用するシーケンス図である。
【００４５】
サーバ装置ＳＶが、緊急発信を行った移動通信端末ＭＳ１の位置情報を取得するまでの動作は、上記第１の実施形態と同じである。
【００４６】
サーバ装置ＳＶは、緊急発信元の端末ＭＳ１の位置情報を取得すると、ステップ５ａで上記救援確認情報作成プログラム１２１を実行することにより、救援確認情報を作成する。この救援確認情報には、緊急発信元の端末ＭＳ１の位置情報と、このユーザを救援する可否を確認するメッセージが挿入される。またサーバ装置ＳＶは、ステップ５ｂで緊急発信元の端末ＭＳ１に最も近い移動通信端末ＭＳ２を検索する。端末ＭＳ２が検索されると、ステップ５ｃで端末ＭＳ２に上記作成した救援確認情報を通知する。
【００４７】
さて、この救援確認情報を受信した端末ＭＳ２において、ユーザが確認操作を行ったとする。そうすると、その旨の応答情報が端末ＭＳ２からサーバ装置ＳＶに送られる。サーバ装置ＳＶは、上記救援応答監視プログラム１２２により端末ＭＳ２からの応答を検出し、さらに救援の可否を確認する。救援が可能である旨が確認できた場合、サーバ装置ＳＶは上記救援要請情報作成プログラムを実行して救援要請情報を作成する。この救援要請情報には、救援を要請している端末ユーザが近くに存在する旨のメッセージと、緊急発信した端末の位置情報を上記地図データベース１０５から読み出された地図データ上に表示した地図情報とが挿入される。そして、この救援要請情報を端末ＭＳ２に通知する。
【００４８】
なお、上記検索された端末ＭＳ２からの応答が、上記救援要請情報の送信後所定の時間（例えば３０秒）経過しても検出できない場合、或いは応答が検出できても救援が不可の場合には、サーバ装置ＳＶは緊急発信元の端末ＭＳ１に２番目に近い端末を検索し、上記救援確認情報を通知する。このようにして、救援可能な端末ユーザが見つかるまで、端末の検索とこの端末への救援確認情報の送信、その応答の監視を繰り返し行う。
【００４９】
したがって第２の実施形態によれば、緊急発信を行った移動通信端末ＭＳ１の近くに存在する端末ユーザに対し救援要請を行う直前に、救援する意思があるか否かを確認する処理を行うことによって、救援可能な端末ユーザを事前に特定することができる。したがって、救援可能な端末ユーザにのみ救援要請情報を通知することができ、より効果的な救援要請を行うことができる。
【００５０】
（その他の実施形態）
第１及び第２の実施形態では、移動通信端末の位置情報をユーザが簡単に認識できるように、サーバ装置ＳＶに地図データベースを備え、この地図データベースから読み出した地図データ上に端末の位置を表示して通知するようにしているが、地図データベースに替えて住所情報を記憶した住所データベースを備え、端末の位置を表示する住所を通知するようにしてもよい。このような構成にすると、地図データより住所データの方がデータ量が少ないので、サーバ装置ＳＶのメモリ容量を小さくすることができる。
【００５１】
また第１の実施形態では、上記救援端末検索プログラム１１１により検索された移動通信端末のうち、救援要請情報を緊急発信元に近い順に１台ずつ送信しているが、複数の端末が検索された場合には、これらの端末に救援要請情報を同時に送信するようにしてもよい。このような構成にすると、多くの救援者をより迅速に検出することができる。
【００５２】
また第１及び第２の実施形態では、サーバ装置が地図データベースを備えているが、地図データのダウンロードサービスを行っている別のサイトが存在する場合には、この別のサイトから地図データを取得するようにしてもよい。
【００５３】
その他、移動通信システムの構成、サーバ装置の設置場所や機能及び構成、位置情報の取得方法、救援要請情報と救援応答情報と救援確認情報の構成等についても、この発明の要旨を逸脱しない範囲で種々変形して実施できる。
【００５４】
【発明の効果】
以上詳述したようにこの発明では、緊急発信を行った移動通信端末の位置情報を取得し、この位置情報をもとに近くの移動通信端末を検索する。そして、この検索した端末に対し、救援要請情報を通知する。また、救援要請を行った端末から応答が確認された場合に、当該端末の位置情報を取得し、救援応答情報を作成して緊急発信元の端末に通知するようにしている。
【００５５】
したがってこの発明によれば、緊急発信を行った移動通信端末の位置情報をより有効に利用できるようにし、これにより緊急発信者に対しさらに効果的な救援を行えるようにした緊急情報通知機能を備えたサーバ装置を提供することができる。
【図面の簡単な説明】
【図１】この発明に係わる移動通信システムの第１の実施形態を示す概略構成図。
【図２】図１に示したサーバ装置の機能構成を示すブロック図。
【図３】図１に示した移動通信システムにおけるサーバ装置の動作説明に使用するシーケンス図。
【図４】この発明の第２の実施形態に係わるサーバ装置の機能構成を示すブロック図。
【図５】この発明の第２の実施形態に係わる移動通信システムにおけるサーバ装置の動作説明に使用するシーケンス図。
【符号の説明】
ＭＮＷ…移動通信網
ＬＮＷ…有線通信網
ＢＳ１〜ＢＳｎ…基地局
ＭＳ１〜ＭＳｍ…移動通信端末
ＳＶ…サーバ装置
ＥＣＣ…緊急管理センタ
ＣＴ…コンソール端末
１０１…ＣＰＵ
１０２…バス
１０３…通信インタフェース
１０４…救援端末データベース
１０５…地図データベース
１０６…入出力インタフェース
１１０，１２０…プログラムメモリ
１１１…救援端末検索プログラム
１１２…救援要請情報作成プログラム
１１３，１２２…救援応答監視プログラム
１１４…救援応答情報作成プログラム
１１５，１２３…救援情報通知制御プログラム
１２１…救援確認情報作成プログラム
【図１】
2004015336.tif 000003
【図２】
2004015336.tif 000004
【図３】
2004015336.tif 000005
【図４】
2004015336.tif 000006
【図５】
2004015336.tif 000007